(57)【要約】【課題】コンピュータに新たにインストールされたコンピュータプログラムに関する情報をユーザに通知することができる新たな技術を提供することを目的とする。【解決手段】コンピュータプログラムに関する情報をＲＳＳデータで提供することとし、このコンピュータプログラムに関する情報を含む特定ＲＳＳデータを取得するために、コンピュータプログラムをパソコンにインストールし（Ｓ１０２）、特定ＲＳＳデータを配信する特定ＲＳＳサイトの特定ＵＲＬを、パソコンにインストールされているＲＳＳリーダに登録する（Ｓ１２０）こととしたものである。【選択図】図３
2010257162.tif 000002
【特許請求の範囲】
【請求項１】
コンピュータにコンピュータプログラムをインストールするための前記コンピュータの制御部が読み取り可能なインストールプログラムであって、
前記制御部を、
前記コンピュータプログラムに関する情報を含む特定ＲＳＳデータを取得するために、前記コンピュータにインストールされているＲＳＳリーダに、前記特定ＲＳＳデータを配信する特定ＲＳＳサイトの特定位置情報を登録する登録手段として機能させるためのインストールプログラム。
【請求項２】
前記制御部を、
前記特定位置情報が前記ＲＳＳリーダに登録されている場合、前記コンピュータプログラムのインストールにおいて、前記ＲＳＳリーダに前記特定位置情報を登録しない前記登録手段として機能させるための請求項１に記載のインストールプログラム。
【請求項３】
前記コンピュータプログラムが前記特定ＲＳＳサイトから前記特定ＲＳＳデータを取得し、表示可能なＲＳＳリーダ機能を備えている場合、
前記制御部を、
前記コンピュータにインストールされたコンピュータプログラムの前記ＲＳＳリーダ機能を有効な状態に設定する有効化手段として機能させるための請求項１または請求項２に記載のインストールプログラム。
【請求項４】
前記コンピュータプログラムが所定のＲＳＳサイトから所定のＲＳＳデータを取得し、表示可能なＲＳＳリーダ機能を備えている場合、
前記制御部を、
前記ＲＳＳリーダ機能によって前記特定ＲＳＳデータを取得するために、前記コンピュータプログラムに前記特定位置情報を登録する前記登録手段として機能させるための請求項１または請求項２に記載のインストールプログラム。
【請求項５】
前記制御部を、
前記ＲＳＳリーダが取得したＲＳＳデータに含まれる最新の記事の更新日時が、現在日時と比較し、所定の期間内である前記ＲＳＳリーダが、前記コンピュータにインストールされているかについて判断する第１判断手段と、
前記最新の記事の更新日時が、現在日時と比較し、前記所定の期間内である前記ＲＳＳリーダが、前記コンピュータにインストールされていないと、前記第１判断手段によって判断された場合、前記コンピュータプログラムが、前記コンピュータプログラムに関する情報を含む特定ＲＳＳデータを、前記特定ＲＳＳサイトから取得し、表示可能なＲＳＳリーダ機能を備えているかについて判断する第２判断手段と、
前記コンピュータプログラムが前記ＲＳＳリーダ機能を備えていると、前記第２判断手段によって判断された場合、前記コンピュータにインストールされたコンピュータプログラムの前記ＲＳＳリーダ機能を有効な状態に設定する有効化手段として機能させるための請求項１または請求項２に記載のインストールプログラム。
【請求項６】
コンピュータにコンピュータプログラムをインストールするための前記コンピュータの制御部が読み取り可能なインストールプログラムであって、
前記制御部を、
前記コンピュータにＲＳＳリーダがインストールされているか否かを判断する第３判断手段と、
前記コンピュータに前記ＲＳＳリーダがインストールされていないと、前記第３判断手段によって判断された場合、前記コンピュータプログラムが、前記コンピュータプログラムに関する情報を含む特定ＲＳＳデータを、前記特定ＲＳＳデータを配信する特定ＲＳＳサイトから取得し、表示可能なＲＳＳリーダ機能を備えているかについて判断する第４判断手段と、
前記コンピュータに前記ＲＳＳリーダがインストールされていると、前記第３判断手段によって判断された場合、前記ＲＳＳリーダに、前記特定ＲＳＳサイトの特定位置情報を登録する登録手段と、
前記コンピュータプログラムが前記ＲＳＳリーダ機能を備えていると、前記第４判断手段によって判断された場合、前記コンピュータにインストールされたコンピュータプログラムの前記ＲＳＳリーダ機能を有効な状態に設定する有効化手段として機能させるためのインストールプログラム。
【発明の詳細な説明】
【技術分野】
【０００１】
本発明は、コンピュータプログラムのコンピュータへのインストールに関するものである。
【背景技術】
【０００２】
インターネットを介して多くのコンテンツが提供され、ユーザは各種コンテンツを取得することができる。例えば、コンピュータの障害やセットアップ、アプリケーションのインストールなどの際に適切な処置やサポートを的確且つ迅速に行うことができるユーザサポートシステムとして、サポート情報の対象となるユーザ側ＰＣ（Personal Computer）と、ユーザ側ＰＣのサポート情報を提供するユーザサポートサーバ等を備えた技術が提案されている。このユーザサポートシステムでは、ユーザ側ＰＣのソフトウェア及び／又はハードウェアの構成情報を抽出するための構成認識プログラムをユーザ側ＰＣにダウンロード可能に提供し、ユーザ側ＰＣでは、構成情報抽出部で構成認識プログラムを実行し、構成情報を抽出して構成情報ＤＢに記憶する。構成情報ＤＢに記憶された構成情報は、ユーザサポートサーバに送信されユーザ情報ＤＢに記憶される。ユーザサポートサーバのユーザ情報編集処理部は、ユーザ側ＰＣの構成情報と、問合せ情報に基づいて、サポート情報を生成し、当該サポート情報を、電話、ファクシミリ、電子メール、Ｗｅｂページなどでユーザ側ＰＣに提供する（例えば、特許文献１参照）。
【０００３】
また、プリンタ・ドライバをインストールする際に、印刷制御装置に関するサポート情報のリンク先アドレスを記述したインターネット・ブラウザが読み取り可能なファイルを、インストールするファイルとして備え、プリンタ・ドライバをインストールするインストーラに、ＨＴＭＬファイルをコンピュータ内に格納する格納ステップと、格納ステップで格納した前記ファイルを指し示すショートカットをコンピュータのデスクトップ画面を表すフォルダに配置するステップを備えた技術が提案されている（例えば、特許文献２参照）。
【０００４】
なお、ＲＳＳ（RDF Site Summary／Really Simple Syndication，Rich Site Summary）形式のデータ（ＲＳＳデータ）を利用したシステム（サービス）が存在する。ＲＳＳデータには、インターネット上の所定のサイトで公開されているコンテンツの更新情報が含まれる。ユーザは、Ｗｅｂブラウザを利用して所定のサイトにアクセスすることなく、ＲＳＳリーダを用いて取得したＲＳＳデータに基づき、所定のサイトで公開されているコンテンツの更新状況を理解することができる。
【先行技術文献】
【特許文献】
【０００５】
【特許文献１】特開２００４−５４１３号公報
【特許文献２】特開２００２−２９７３４２号公報
【発明の概要】
【発明が解決しようとする課題】
【０００６】
ところで、コンピュータプログラムを提供している事業者等のサイトに、このコンピュータプログラムに関する情報、または事業者等に関する情報等が公開されることがある。
【０００７】
例えば、コンピュータにインストールして利用されるコンピュータプログラムが更新された場合、その旨が、コンピュータプログラムの事業者等のサイトで公開される。コンピュータにインストールされたＷｅｂブラウザを利用し、事業者等のサイトにアクセスしたユーザは、事業者等のサイトから、更新プログラムをダウンロードし、更新プログラムをコンピュータ上で実行する。これによって、更新プログラムが、コンピュータプログラムに反映される。
【０００８】
本発明は、コンピュータに新たにインストールされたコンピュータプログラムに関する情報をユーザに通知することができる新たな技術を提供することを目的とする。
【課題を解決するための手段】
【０００９】
上記課題に鑑みなされた本発明は、コンピュータプログラムに関する情報をＲＳＳデータで提供することとし、このコンピュータプログラムに関する情報を含む特定ＲＳＳデータを取得するために、コンピュータプログラムのコンピュータへのインストールに際し、特定ＲＳＳデータを配信する特定ＲＳＳサイトの特定位置情報を、コンピュータにインストールされたＲＳＳリーダに登録することとしたものである。
【００１０】
本発明を反映した第１の課題解決手段は、コンピュータにコンピュータプログラムをインストールするための前記コンピュータの制御部が読み取り可能なインストールプログラムであって、前記制御部を、前記コンピュータプログラムに関する情報を含む特定ＲＳＳデータを取得するために、前記コンピュータにインストールされているＲＳＳリーダに、前記特定ＲＳＳデータを配信する特定ＲＳＳサイトの特定位置情報を登録する登録手段として機能させるためのインストールプログラムである。
【００１１】
これによれば、コンピュータにインストールされているＲＳＳリーダに、特定ＲＳＳデータを配信する特定ＲＳＳサイトの特定位置情報を登録することができる。すなわち、特定ＲＳＳデータを取得し、新たにインストールされたコンピュータプログラムに関する情報を表示可能な状態に、コンピュータを設定することができる。ここで、コンピュータプログラムに関する情報は、コンピュータプログラムに直接関連する情報を含む。また、コンピュータプログラムに間接的に関連する情報を含む。間接的に関連する情報として、コンピュータプログラムに係る事業者等に関連する情報が例示される。
【００１２】
第２の課題解決手段は、第１の課題解決手段のインストールプログラムであって、前記制御部を、前記特定位置情報が前記ＲＳＳリーダに登録されている場合、前記コンピュータプログラムのインストールにおいて、前記ＲＳＳリーダに前記特定位置情報を登録しない前記登録手段として機能させることを特徴とする。
【００１３】
これによれば、特定位置情報の登録について、不要な登録処理の実行を防止することができる。
【００１４】
第３の課題解決手段は、第１または第２の課題解決手段のインストールプログラムであって、前記コンピュータプログラムが前記特定ＲＳＳサイトから前記特定ＲＳＳデータを取得し、表示可能なＲＳＳリーダ機能を備えている場合、前記制御部を、前記コンピュータにインストールされたコンピュータプログラムの前記ＲＳＳリーダ機能を有効な状態に設定する有効化手段として機能させることを特徴とする。
【００１５】
これによれば、コンピュータにインストールされているＲＳＳリーダの他、新たにインストールされたコンピュータプログラムのＲＳＳリーダ機能によって、特定ＲＳＳデータを取得し、コンピュータプログラムに関する情報を表示することが可能な状態に、コンピュータを設定することができる。
【００１６】
第４の課題解決手段は、第１または第２の課題解決手段のインストールプログラムであって、前記コンピュータプログラムが所定のＲＳＳサイトから所定のＲＳＳデータを取得し、表示可能なＲＳＳリーダ機能を備えている場合、前記制御部を、前記ＲＳＳリーダ機能によって前記特定ＲＳＳデータを取得するために、前記コンピュータプログラムに前記特定位置情報を登録する前記登録手段として機能させることを特徴とする。
【００１７】
これによれば、コンピュータにインストールされているＲＳＳリーダの他、新たにインストールされたコンピュータプログラムのＲＳＳリーダ機能によって、特定ＲＳＳデータを取得し、コンピュータプログラムに関する情報を表示することが可能な状態に、コンピュータを設定することができる。
【００１８】
第５の課題解決手段は、第１または第２の課題解決手段のインストールプログラムであって、前記制御部を、前記ＲＳＳリーダが取得したＲＳＳデータに含まれる最新の記事の更新日時が、現在日時と比較し、所定の期間内である前記ＲＳＳリーダが、前記コンピュータにインストールされているかについて判断する第１判断手段と、前記最新の記事の更新日時が、現在日時と比較し、前記所定の期間内である前記ＲＳＳリーダが、前記コンピュータにインストールされていないと、前記第１判断手段によって判断された場合、前記コンピュータプログラムが、前記コンピュータプログラムに関する情報を含む特定ＲＳＳデータを、前記特定ＲＳＳサイトから取得し、表示可能なＲＳＳリーダ機能を備えているかについて判断する第２判断手段と、前記コンピュータプログラムが前記ＲＳＳリーダ機能を備えていると、前記第２判断手段によって判断された場合、前記コンピュータにインストールされたコンピュータプログラムの前記ＲＳＳリーダ機能を有効な状態に設定する有効化手段として機能させることを特徴とする。
【００１９】
これによれば、コンピュータにインストールされているＲＳＳリーダによって、所定の期間、ＲＳＳデータが取得されていない場合、新たにインストールされたコンピュータプログラムのＲＳＳリーダ機能によって、特定ＲＳＳデータを取得し、コンピュータプログラムに関する情報を表示可能な状態に、コンピュータを設定することができる。
【００２０】
第６の課題解決手段は、コンピュータにコンピュータプログラムをインストールするための前記コンピュータの制御部が読み取り可能なインストールプログラムであって、前記制御部を、前記コンピュータにＲＳＳリーダがインストールされているか否かを判断する第３判断手段と、前記コンピュータに前記ＲＳＳリーダがインストールされていないと、前記第３判断手段によって判断された場合、前記コンピュータプログラムが、前記コンピュータプログラムに関する情報を含む特定ＲＳＳデータを、前記特定ＲＳＳデータを配信する特定ＲＳＳサイトから取得し、表示可能なＲＳＳリーダ機能を備えているかについて判断する第４判断手段と、前記コンピュータに前記ＲＳＳリーダがインストールされていると、前記第３判断手段によって判断された場合、前記ＲＳＳリーダに、前記特定ＲＳＳサイトの特定位置情報を登録する登録手段と、前記コンピュータプログラムが前記ＲＳＳリーダ機能を備えていると、前記第４判断手段によって判断された場合、前記コンピュータにインストールされたコンピュータプログラムの前記ＲＳＳリーダ機能を有効な状態に設定する有効化手段として機能させるためのインストールプログラムである。
【００２１】
これによれば、コンピュータにＲＳＳリーダがインストールされている場合、このＲＳＳリーダによって、特定ＲＳＳデータを取得し、これに含まれるコンピュータプログラムに関する情報を表示可能な状態に、コンピュータを設定することができる。一方、ＲＳＳリーダがインストールされていない場合であっても、新たにインストールされたコンピュータプログラムによって、特定ＲＳＳデータを取得し、コンピュータプログラムに関する情報を表示可能な状態に、コンピュータを設定することができる。
【発明の効果】
【００２２】
本発明によれば、コンピュータに新たにインストールされたコンピュータプログラムに関する情報をユーザに通知することができる新たな技術を得ることができる。
【図面の簡単な説明】
【００２３】
【図１】システムの概要とシステムを構成するパソコンの機能ブロックとを示す図である。
【図２】ＲＳＳデータを示す図である。
【図３】コンピュータプログラムのインストール処理のフローチャートを示す図である。
【発明を実施するための形態】
【００２４】
本発明を反映した上記課題解決手段を実施するための実施形態について、図面を用いて以下に詳細に説明する。上記課題解決手段は、以下に記載の構成に限定されるものではなく、同一の技術的思想において種々の構成を採用することができる。例えば、以下に説明する各構成において、所定の構成を省略可能で、また、各処理において、所定の処理ステップを省略することができる。
【００２５】
（システムの構成）
ネットワークシステム１０について、図１を参照して説明する。ネットワークシステム１０は、パーソナルコンピュータ（以下、「パソコン」という。）１００と、複合機２００と、その他図１には描画していないネットワーク装置とを含み、各装置はＬＡＮ（Local Area Network）８００を介して通信可能に接続されている。複合機２００は、例えば、パソコン１００から送信される印刷データを受信し、これに対する印刷処理を実行する。また、複合機２００は、パソコン１００からのスキャン要求に基づいたスキャン処理の実行により生成したスキャンデータを、ＬＡＮ８００を介して、パソコン１００に送信する。
【００２６】
また、ＬＡＮ８００は、ルータ８２０を介してインターネット８４０に接続されている。インターネット８４０には、サーバ８６０，８８０や他のサーバが存在している。パソコン１００および複合機２００は、ＬＡＮ８００とルータ８２０とを介してインターネット８４０に通信可能に接続されている。
【００２７】
ここで、サーバ８６０がサイト８６２を公開しており、サーバ８８０がサイト８８２を公開している。サイト８６２，８８２は、複数のコンテンツ（例えば、データ（更新プログラム等、各種コンピュータプログラムを含む）、情報）を含んでいる。さらに、サーバ８６０は、ＲＳＳサイト８６４を公開し，サーバ８８０は、ＲＳＳサイト８８４を公開している。ＲＳＳサイト８６４，８８４は、サーバ８６０，８８０が公開するサイト８６２，８８２に含まれる複数のコンテンツのＲＳＳデータ（ＲＳＳフィード）を、要求元のＲＳＳデバイス（例えば、パソコン１００）に配信する。なお、以下の説明では、サーバ８８０は、後述するインストール処理（図３）に係るコンピュータプログラムを提供する事業者によって公開されているサーバであるとし、サーバ８８０によるＲＳＳサイト８８４を「特定ＲＳＳサイト８８４」ともいう。
【００２８】
次に、パソコン１００の構成について説明する。パソコン１００は、自装置の制御を司る制御部１１０と、記憶部１２０とを備える。また、パソコン１００は、モニタ１３０と操作部１４０とメディアドライブ１５０とネットワークＩ／Ｆ１６０とを備える。操作部１４０は、キーボードまたはマウスにより構成される。メディアドライブ１５０は、各種記憶媒体（例えば、ＵＳＢメモリ、ＣＤ−Ｒ、ＤＶＤ−Ｒ）に記憶された各種データを読み取るための装置である。ネットワークＩ／Ｆ１６０は、パソコン１００をＬＡＮ８００に接続するための接続インターフェースである。
【００２９】
制御部１１０は、演算処理を実行するＣＰＵと、各種プログラムを記憶するＲＯＭと、作業領域としてのＲＡＭとにより構成される。記憶部１２０は、例えばハードディスクによって構成される。記憶部１２０には、ＯＳ（Operating System）１２０２、インターネット８４０上のＲＳＳサイト８６４，８８４等からＲＳＳデータを取得し、モニタ１３０に表示するためのＲＳＳリーダ１２０４等がインストール（記憶）されている。ここで、ＲＳＳリーダ１２０４には、ＲＳＳデータを取得するための設定としてＲＳＳサイト８６４，８８４等のＵＲＬ（Uniform Resource Locator／位置情報）１２０６を複数登録することができる。例えば、ＲＳＳサイト８６４、８８４から配信されるＲＳＳデータを取得する場合、ＲＳＳリーダ１２０４には、ＲＳＳサイト８６４についてのＵＲＬ１２０６と、ＲＳＳサイト８８４についてのＵＲＬ１２０６とが登録される。
【００３０】
さらに、記憶部１２０には、ＲＳＳリーダ１２０４によって取得されたＲＳＳデータ１２０８が記憶されている。ＲＳＳリーダ１２０４は、自身が取得し、記憶部１２０に記憶されているＲＳＳデータ１２０８を管理する。記憶部１２０には、複数のＲＳＳリーダ１２０４をインストールすることができる。この場合、各ＲＳＳリーダ１２０４は、自身が取得し、記憶部１２０に記憶されている各ＲＳＳデータ１２０８を管理する。
【００３１】
なお、記憶部１２０には、その他、複合機２００の印刷部を制御するプリンタドライバおよびスキャナ部を制御するスキャナドライバ等のドライバプログラム（図１で図示を省略）がインストール（記憶）されている。また、Ｗｅｂブラウザもインストール（記憶）されている。
【００３２】
制御部１１０を構成するＣＰＵが、ＲＡＭ上でＲＯＭに記憶されるプログラムおよび記憶部１２０に記憶される各プログラム１２０２，１２０４を実行することで、各種処理が実行される。例えば、ＲＳＳリーダ１２０４により、ＲＳＳサイト８６４，８８４が配信するＲＳＳデータが取得される。また、メディアドライブ１５０にセットされた記憶媒体に記憶されたコンピュータプログラム（例えば、複合機２００を監視するためのステータスモニタ、ドライバプログラム、その他各種アプリケーション）をパソコン１００（記憶部１２０）にインストールするためのインストールプログラムを実行することによって、後述するインストール処理（図３参照）が実行される。
【００３３】
ＣＰＵは、これら各処理を実行するためＲＡＭ上の各種データにアクセスする。したがって、ＣＰＵがＲＯＭ、記憶部１２０およびメディアドライブ１５０にセットされた記憶媒体に記憶される各種プログラムをＲＡＭ上で実行することで、各種処理が実行され、これによって各種機能手段が構成される。
【００３４】
次に、複合機２００は、自装置の制御を司る制御部（例えば、ＣＰＵ，ＲＯＭ，ＲＡＭにより構成）と、各種データを記憶する記憶部とを備える。また、複合機２００は、印刷部と、スキャナ部とを備える。さらに、複合機２００は、各種情報を表示するモニタと、複合機２００へのデータ（指令）入力のインターフェースとしての機能を果たす操作部と、ＬＡＮ８００に接続されるネットワークＩ／Ｆとを備える。なお、複合機２００についての詳細は、省略する。
【００３５】
（ＲＳＳデータ）
ＲＳＳリーダ１２０４によって取得されるＲＳＳデータ１２０８の形式について、図２に示すＲＳＳデータ１２０８を例に説明する。ＲＳＳデータ１２０８は、記述項目として、ＲＳＳサイト（コンテンツの大タイトルも兼ねる）のタイトル３０００（Ｆさんのブログ）と、サイト８６２，８８２のＵＲＬ３０５０（http://abcdefg.jp/diary/）と、各コンテンツ３１００Ａ，３１００Ｂ，３１００Ｃに関する諸情報とを含む。
【００３６】
例えば、ＲＳＳデータ１２０８は、itemタグ３２００，３７００内に記述されているコンテンツ３１００Ａ（20090217.html）について、タイトル３３００（寒いですね。）と、ＵＲＬ３４００（http://abcdefg.jp/diary/20090217.html）と、記事３５００（今日は本当に寒いですね・・・）と、更新日時３６００（２００９年２月１７日１４時１１分２２秒）とを含む。なお、ＲＳＳデータ１２０８に含まれる記事について、コンテンツ３１００Ａについての記事３５００は、最新の記事である（コンテンツ３１００Ａ〜３１００Ｃに係る記事（<description>）３５００および更新日時（<pubDate>）３６００参照）。
【００３７】
（インストール処理）
コンピュータプログラムのインストール処理について、図３を参照して説明する。この処理は、コンピュータプログラムをインストールするためのインストールプログラムが記憶された記憶媒体をメディアドライブ１５０にセットし、制御部１１０が、インストールプログラムをＲＡＭ上で実行することで開始される。
【００３８】
このインストールプログラムを起動した制御部１１０は、モニタ１３０に、記憶部１２０にインストール可能なコンピュータプログラムを一覧表示する（Ｓ１００）。ユーザは、操作部１４０を介して、一覧表示されたコンピュータプログラムの中から、所望のコンピュータプログラムを選択することができる。なお、記憶媒体に記憶されたインストール可能なコンピュータプログラムが１つである場合、Ｓ１００の処理を省略することもできる。
【００３９】
Ｓ１００を実行した制御部１１０は、ユーザによって選択されたコンピュータプログラムを、メディアドライブ１５０にセットされた記憶媒体からＲＡＭ上に読み出し、これを記憶部１２０にインストールする（Ｓ１０２）。なお、選択されたコンピュータプログラムを、これを提供するサーバ８８０のサイト８８２からダウンロードする構成とすることもできる。この場合、制御部１１０は、記憶媒体から所定のＵＲＬを取得し、記憶部１２０にインストールされているＷｅｂブラウザを用いるとともに、ネットワークＩ／Ｆ１６０を制御し、選択されたコンピュータプログラムをサーバ８８０からダウンロードする。
【００４０】
続けて、制御部１１０は、記憶部１２０にＲＳＳリーダ１２０４がインストールされているかを確認する処理を実行する（Ｓ１０４）。具体的に、制御部１１０は、ＯＳ１２０２が備える各種設定等を登録したデータベース（マイクロソフト社製のウィンドウズ（登録商標）において「レジストリ」がこれに相当する。）にアクセスし、これを確認する。
【００４１】
そして、制御部１１０は、ＲＳＳリーダ１２０４のインストールの有無を判断する（Ｓ１０６）。判断の結果、ＲＳＳリーダ１２０４がインストールされている場合（Ｓ１０６：Ｙｅｓ）、制御部１１０は、処理をＳ１０８に移行する一方、インストールされていない場合（Ｓ１０６：Ｎｏ）、処理をＳ１２４に移行する。なお、図１に示すパソコン１００を例にすれば、Ｓ１０６の判断は肯定される（Ｓ１０６：Ｙｅｓ）。
【００４２】
Ｓ１０８で制御部１１０は、ＲＳＳリーダ１２０４で管理されているＲＳＳデータ１２０８に含まれる各記事３５００について、最も新しい記事３５００の更新日時３６００を、ＲＳＳリーダ１２０４毎に取得する。なお、記憶部１２０にインストールされているＲＳＳリーダ１２０４が１つである場合、そのＲＳＳリーダ１２０４のみを対象として、Ｓ１０８の処理を実行する。そして、制御部１１０は、ＲＳＳリーダ１２０４毎に取得した最新の記事３５００の更新日時３６００各々について、現在日時と比較し、１ヶ月以内であるＲＳＳリーダ１２０４が存在しているか否かを判断する（Ｓ１１０）。判断の結果、１ヶ月以内であるＲＳＳリーダ１２０４が存在しない場合（Ｓ１１０：Ｎｏ）、制御部１１０は、処理をＳ１２４に移行する一方、１ヶ月以内であるＲＳＳリーダ１２０４が存在している場合（Ｓ１１０：Ｙｅｓ）、処理をＳ１１２に移行する。
【００４３】
Ｓ１１２で制御部１１０は、記憶部１２０にインストールされているＲＳＳリーダ１２０４の一覧を、ユーザが操作部１４０を介して選択可能な状態でモニタ１３０に表示し、ユーザが、所望のＲＳＳリーダ１２０４を選択するまで待機する（Ｓ１１４）。Ｓ１１２で制御部１１０は、ユーザが利用する頻度が高いＲＳＳリーダ１２０４の順、換言すれば、Ｓ１０８で取得した最新の記事３５００の更新日時３６００が新しい順に、更新日時３６００に対応するＲＳＳリーダ１２０４を表示する。例えば、ＲＳＳリーダ１２０４が上下に表示される場合、更新日時３６００が新しいＲＳＳリーダ１２０４を上側に表示する。
【００４４】
Ｓ１１６で制御部１１０は、Ｓ１１２の表示にともない、ユーザによって選択されたＲＳＳリーダ１２０４に登録されている全てのＵＲＬ１２０６を、ＲＡＭ上に取得する。そして、取得したＵＲＬ１２０６に、Ｓ１０２でインストールされたコンピュータプログラムに関する情報を含む特定ＲＳＳデータを配信する特定ＲＳＳサイト８８４の特定ＵＲＬが含まれているか否かを判断する（Ｓ１１８）。Ｓ１１８の判断に際し、制御部１１０は、特定ＵＲＬをメディアドライブ１５０にセットされた記憶媒体から読み出し、ＲＡＭ上に記憶する。
【００４５】
Ｓ１１８の判断の結果、取得したＵＲＬ１２０６に特定ＵＲＬが含まれている、換言すれば、ＲＳＳリーダ１２０４に特定ＵＲＬが既に登録されている場合（Ｓ１１８：Ｙｅｓ）、制御部１１０は、このインストール処理を終了する。これに対し、取得したＵＲＬ１２０６に特定ＵＲＬが含まれていない場合（Ｓ１１８：Ｙｅｓ）、制御部１１０は、ユーザによって選択されたＲＳＳリーダ１２０４に、特定ＵＲＬを登録する（Ｓ１２０）。
【００４６】
その後、制御部１１０は、記憶部１２０に選択されたコンピュータプログラムが適切にインストールされたこと（Ｓ１０２参照）、選択されたＲＳＳリーダ１２０４に特定ＵＲＬが登録されたこと（Ｓ１２０参照）、および、今後、コンピュータプログラムに関する情報を含むＲＳＳデータ（特定ＲＳＳデータ）を、ＲＳＳリーダ１２０４で取得し、確認することができること等を含むメッセージを、モニタ１３０に表示し（Ｓ１２２）、このインストール処理を終了する。なお、特定ＲＳＳデータに含まれる記事（情報）としては、例えば、コンピュータプログラムの更新に関する記事（更新プログラムの配信に関する情報）、サーバ８８０の事業者によって新たに販売される新商品またはコンピュータプログラム等に関する記事が含まれる。
【００４７】
Ｓ１０６，Ｓ１１０の判断が否定された場合（Ｓ１０６、Ｓ１１０：Ｎｏ）に実行されるＳ１２４で制御部１１０は、Ｓ１００の表示にともない、Ｓ１０２でユーザによって選択され、インストールされたコンピュータプログラムが、特定ＲＳＳデータを取得し、表示可能なＲＳＳリーダ機能を備えているかを判断する。判断の結果、コンピュータプログラムがＲＳＳリーダ機能を備えている場合（Ｓ１２４：Ｙｅｓ）、制御部１１０は、コンピュータプログラムのＲＳＳリーダ機能をオン（有効）に設定し（Ｓ１２６）、処理をＳ１３０に移行する。なお、ＲＳＳリーダ機能を有するコンピュータプログラムには、予め特定ＵＲＬが登録されている。
【００４８】
これに対し、コンピュータプログラムがＲＳＳリーダ機能を備えていない場合（Ｓ１２４：Ｎｏ）、制御部１１０は、特定ＵＲＬが登録されたＲＳＳリーダ１２０４を、記憶部１２０に新たにインストールし（Ｓ１２８）、処理をＳ１３０に移行する。なお、Ｓ１２８を実行した後のパソコン１００は、図１に示す構成となる。
【００４９】
Ｓ１３０で制御部１１０は、記憶部１２０に選択されたコンピュータプログラムが適切にインストールされたこと（Ｓ１０２参照）、および、Ｓ１２６またはＳ１２８の実行に関連する内容を含むメッセージを、モニタ１３０に表示する。例えば、Ｓ１２６が実行された場合のメッセージには、コンピュータプログラムのＲＳＳリーダ機能が有効に設定され、これにより、コンピュータプログラムに関する情報を含む特定ＲＳＳデータを、このコンピュータプログラムで取得し、確認することができること等が含まれる。
【００５０】
また、Ｓ１２８が実行された場合のメッセージには、コンピュータプログラムとともに、新たにＲＳＳリーダ１２０４がインストールされ、これにより、コンピュータプログラムに関する情報を含む特定ＲＳＳデータを、この新たにインストールされたＲＳＳリーダ１２０４で取得し、確認することができること等が含まれる。Ｓ１３０を実行した後、制御部１１０は、このインストール処理を終了する。
【００５１】
なお、Ｓ１０６，Ｓ１１０の判断が否定された場合（Ｓ１０６、Ｓ１１０：Ｎｏ）において、Ｓ１２６およびＳ１２８のような処理を実行する構成を採用することにより、パソコン１００にＲＳＳリーダ１２０４がインストールされておらず（Ｓ１０６：Ｎｏ）、または、パソコン１００にインストールされたＲＳＳリーダ１２０４が有効に利用されていなくとも（Ｓ１１０：Ｎｏ）、特定ＲＳＳデータに含まれるコンピュータプログラムに関する情報を、ユーザに提供（モニタ１３０に表示）することができる。
【００５２】
（変形例）
（１）上記では、ＲＳＳデータを取得するための設定としてＲＳＳサイト８６４，８８４等のＵＲＬ１２０６を、ＲＳＳリーダ１２０４に登録した構成を例に説明した。ここで、ＲＳＳサイト８６４，８８４等のＵＲＬ１２０６に対応付けてＲＳＳサイト８６４，８８４等のタイトル３０００を登録する構成とすることもできる。これによれば、ＲＳＳリーダ１２０４に登録されたＵＲＬ１２０６が、どのＲＳＳサイト８６４，８８４のＵＲＬであるかを容易に認識することができる。
【００５３】
（２）上記では、記憶部１２０にインストールされたコンピュータプログラム（図３のＳ１０２参照）がＲＳＳリーダ機能を含む場合、予め特定ＵＲＬが、このコンピュータプログラムに登録されている構成を例に説明した。しかし、これ以外の構成とすることもできる。例えば、記憶部１２０にコンピュータプログラムがインストールされた後、特定ＵＲＬをコンピュータプログラムに登録（ＲＳＳリーダ機能の設定として特定ＵＲＬを登録）する構成とすることもできる。この場合、制御部１１０は、図２のＳ１２０と同様、特定ＵＲＬをメディアドライブ１５０にセットされた記憶媒体から読み出し、登録する。
【００５４】
（３）上記では、図３に示すインストール処理のＳ１１０において、その判断が否定された場合（Ｓ１１０：Ｎｏ）、Ｓ１１２以降の処理が実行されない構成を例に説明した。しかし、Ｓ１１０の判断が否定された場合（Ｓ１１０：Ｎｏ）においても、Ｓ１１２以降の処理を、Ｓ１２４からＳ１３０とともに実行（例えば、Ｓ１３０を実行後、処理をＳ１１２に移行）する構成とすることもできる。
【００５５】
（４）上記では、図３に示すインストール処理のＳ１１２において、Ｓ１０８で取得した最新の記事３５００の更新日時３６００が新しい順に、更新日時３６００に対応するＲＳＳリーダ１２０４を表示する構成を例に説明した。しかし、ＲＳＳリーダ１２０４の表示順については、種々の条件に基づいた構成とすることができる。例えば、ユーザがＲＳＳリーダ１２０４の取得した記事３５００を閲覧した日時が新しい順とすることができる。また、ＲＳＳリーダ１２０４をユーザが起動した日時が新しい順とすることもできる。さらに、日時の新しさに基づくものの他、記事３５００の閲覧回数順とすることもできる。
【００５６】
（５）上記では、図３に示すインストール処理のＳ１１８の判断に際し、制御部１１０は、特定ＵＲＬをメディアドライブ１５０にセットされた記憶媒体から読み出し、ＲＡＭ上に記憶する構成を例に説明した。この他、インストール処理において、サーバ８８０と通信し、サーバ８８０から特定ＵＲＬを取得する構成とすることもできる。
【符号の説明】
【００５７】
１００  パソコン
１１０  制御部
１２０  記憶部
１２０４  ＲＳＳリーダ
１５０  メディアドライブ
２００  複合機
８００  ＬＡＮ
８４０  インターネット
８８０  サーバ
８８２  サイト
８８４  ＲＳＳサイト
【図１】
2010257162.tif 000003
【図２】
2010257162.tif 000004
【図３】
2010257162.tif 000005